(57)【要約】【課題】紫外線硬化インクを吐出するインクヘッドを含む複数のヘッドを備え、それらヘッドが互いに独立してキャリッジに搬送されるインクジェット式記録装置において、動作の効率の向上を図る。【解決手段】インクジェットプリンタ１は、キャリッジ３０と、第１の連結機構６１を介してキャリッジ３０に着脱自在に連結され、紫外線硬化インクを吐出するインクヘッド４０と、第２の連結機構たる磁石３３を介してキャリッジ３０に着脱自在に連結されるカッティングヘッド７０とを備えている。インクヘッド４０には紫外線発光ダイオード５１，５２が取り付けられている。制御装置３５は、キャリッジ３０がインクヘッド４０と連結しているか否かを検出し、連結していないときには紫外線発光ダイオード５１，５２の照射を禁止する。【選択図】図２
2010214769.tif 000002
【特許請求の範囲】
【請求項１】
所定方向に延びるガイドレールと、
前記ガイドレールにスライド自在に係合し、記録媒体に向かって紫外線硬化インクを吐出するインクヘッドと、
前記インクヘッドに対して前記インクヘッドと共に移動するように取り付けられ、前記インクヘッドから前記記録媒体に吐出された紫外線硬化インクに紫外線を照射する紫外線照射装置と、
前記ガイドレールにスライド自在に係合する他のヘッドと、
前記ガイドレールに沿って移動するキャリッジと、
前記キャリッジと前記インクヘッドとを着脱自在に連結する第１の連結機構と、
前記キャリッジと前記他のヘッドとを着脱自在に連結する第２の連結機構と、
前記第１の連結機構による前記キャリッジと前記インクヘッドとの連結状態に関連する所定の条件に基づいて、前記紫外線照射装置の照射を禁止する照射禁止機構と、
を備えたインクジェット式記録装置。
【請求項２】
前記照射禁止機構は、前記キャリッジが前記インクヘッドと連結しているか否かを検出し、前記キャリッジが前記インクヘッドと連結していないときには、前記紫外線照射装置の照射を禁止する、請求項１に記載のインクジェット式記録装置。
【請求項３】
前記紫外線照射装置は紫外線発光ダイオードである、請求項１または２に記載のインクジェット式記録装置。
【請求項４】
前記紫外線発光ダイオードの前記記録媒体に対する位置を検出し、前記紫外線発光ダイオードが前記記録媒体と対向する位置にないときには、前記紫外線発光ダイオードの発光を禁止する発光禁止機構をさらに備えた、請求項３に記載のインクジェット式記録装置。
【請求項５】
前記インクヘッドから吐出された前記記録媒体上の前記紫外線硬化インクに対する前記紫外線発光ダイオードの位置を検出し、前記紫外線発光ダイオードが前記記録媒体上の前記紫外線硬化インクと対向する位置にないときには、前記紫外線発光ダイオードの発光を禁止する発光禁止機構をさらに備えた、請求項３または４に記載のインクジェット式記録装置。
【請求項６】
前記他のヘッドは、前記ガイドレールの一端側または他端側に位置するホームポジションにおいて前記キャリッジに着脱され、前記キャリッジと連結されていないときには前記ホームポジションにて待機し、
前記他のヘッドが前記ホームポジションにあるか否かを検出し、前記他のヘッドが前記ホームポジションにないときには前記紫外線照射装置の照射を禁止する照射禁止機構をさらに備えた、請求項１〜５のいずれか一つに記載のインクジェット式記録装置。
【請求項７】
所定方向に延びるガイドレールと、
前記ガイドレールにスライド自在に係合し、記録媒体に向かって紫外線硬化インクを吐出するインクヘッドと、
前記インクヘッドに対して前記インクヘッドと共に移動するように取り付けられ、前記インクヘッドから前記記録媒体に吐出された紫外線硬化インクに紫外線を照射する紫外線照射装置と、
前記ガイドレールにスライド自在に係合する他のヘッドと、
前記ガイドレールに沿って移動するキャリッジと、
前記キャリッジと前記インクヘッドとを着脱自在に連結する第１の連結機構と、
前記キャリッジと前記他のヘッドとを着脱自在に連結する第２の連結機構と、を備え、
前記他のヘッドは、前記ガイドレールの一端側または他端側に位置するホームポジションにおいて前記キャリッジに着脱され、前記キャリッジと連結されていないときには前記ホームポジションにて待機し、
前記他のヘッドの位置に関連する所定の条件に基づいて、前記紫外線照射装置の照射を禁止する照射禁止機構を備えている、インクジェット式記録装置。
【請求項８】
前記照射禁止機構は、前記他のヘッドが前記ホームポジションにあるか否かを検出し、前記他のヘッドが前記ホームポジションにないときには前記紫外線照射装置の照射を禁止する、請求項７に記載のインクジェット式記録装置。
【請求項９】
前記他のヘッドは、カッターを有し、前記記録媒体に対し前記カッターにより切り抜き加工を行うカッティングヘッドである、請求項１〜８のいずれか一つに記載のインクジェット式記録装置。
【請求項１０】
前記他のヘッドは、前記記録媒体に向かって紫外線硬化インクと異なるインクを吐出する他のインクヘッドである、請求項１〜８のいずれか一つに記載のインクジェット式記録装置。
【発明の詳細な説明】
【技術分野】
【０００１】
本発明は、インクジェット式記録装置に関する。
【背景技術】
【０００２】
従来から、記録用紙等の記録媒体にインクを吐出するインクヘッドと、記録媒体を切断するカッティングヘッドとを備えたインクジェット式記録装置が知られている（例えば特許文献１参照）。インクヘッドおよびカッティングヘッドは、所定方向に延びるガイドレールに係合しており、当該ガイドレールに沿って移動するキャリッジによって搬送される。特許文献１には、キャリッジがカッティングヘッドに内蔵されたインクジェット式記録装置が開示されている。
【０００３】
上記インクジェット式記録装置では、インクヘッドおよびカッティングヘッドは、互いに着脱自在に構成されている。インクヘッドによる印刷の際には、カッティングヘッドとインクヘッドとが連結される。そして、インクヘッドは、カッティングヘッドに内蔵されたキャリッジにより、カッティングヘッドと一体となって走査方向に搬送される。インクヘッドは、走査方向に移動しながら、記録媒体にインク滴を吐出する。一方、記録媒体を切断する際には、カッティングヘッドとインクヘッドとの連結が解除される。そして、インクヘッドは所定の退避位置、すなわちホームポジションにて待機し、カッティングヘッドのみが内蔵のキャリッジによって搬送される。
【０００４】
インクヘッドから吐出されるインクとして、紫外線が照射されると硬化するインク（以下、紫外線硬化インクという）を用いるインクジェット式記録装置が知られている（例えば特許文献２参照）。紫外線硬化インクを用いるインクジェット式記録装置では、インクヘッドから吐出したインクを記録媒体上で硬化させるために、紫外線を照射する装置（以下、紫外線照射装置という）を備えている。紫外線照射装置として、インクヘッドに取り付けられ、インクヘッドと一体となって走査方向に搬送されるものが知られている。このような紫外線照射装置によれば、記録媒体の必要箇所のみに紫外線を照射することができ、紫外線の無駄な照射を抑制することができる。
【先行技術文献】
【特許文献】
【０００５】
【特許文献１】特開２００６−５６６４２号公報
【特許文献２】特開２００５−１４４６７９号公報
【発明の概要】
【発明が解決しようとする課題】
【０００６】
ところで、特許文献１に開示されたインクジェット式記録装置では、インクヘッドによる印刷の際には、カッティングヘッドが不要であるにも拘わらず、キャリッジはインクヘッドおよびカッティングヘッドの両方を搬送しなければならない。そのため、キャリッジの負荷が大きくなってしまう。特に、インクヘッドに紫外線照射装置を取り付けた場合、キャリッジはインクヘッド、紫外線照射装置、およびカッティングヘッドを搬送しなければならず、その負荷はより大きくなってしまう。
【０００７】
そこで、キャリッジをカッティングヘッドから独立させ、インクヘッドによる印刷の際にはキャリッジをインクヘッドにのみ連結させ、記録媒体の切断の際にはキャリッジをカッティングヘッドにのみ連結させることが考えられる。しかし、そのような新たな構成を採用したとしても、従来と同様の動作を行っていたのでは、インクジェット式記録装置の動作の効率向上を促進することはできない。
【０００８】
本発明はかかる点に鑑みてなされたものであり、その目的とするところは、紫外線硬化インクを吐出するインクヘッドを含む複数のヘッドを備え、それらヘッドが互いに独立してキャリッジに搬送されるインクジェット式記録装置において、動作の効率の向上を図ることにある。
【課題を解決するための手段】
【０００９】
本発明に係るインクジェット式記録装置は、所定方向に延びるガイドレールと、前記ガイドレールにスライド自在に係合し、記録媒体に向かって紫外線硬化インクを吐出するインクヘッドと、前記インクヘッドに対して前記インクヘッドと共に移動するように取り付けられ、前記インクヘッドから前記記録媒体に吐出された紫外線硬化インクに紫外線を照射する紫外線照射装置と、前記ガイドレールにスライド自在に係合する他のヘッドと、前記ガイドレールに沿って移動するキャリッジと、前記キャリッジと前記インクヘッドとを着脱自在に連結する第１の連結機構と、前記キャリッジと前記他のヘッドとを着脱自在に連結する第２の連結機構と、前記第１の連結機構による前記キャリッジと前記インクヘッドとの連結状態に関連する所定の条件に基づいて、前記紫外線照射装置の照射を禁止する照射禁止機構と、を備えたものである。
【００１０】
本発明に係る他のインクジェット式記録装置は、所定方向に延びるガイドレールと、前記ガイドレールにスライド自在に係合し、記録媒体に向かって紫外線硬化インクを吐出するインクヘッドと、前記インクヘッドに対して前記インクヘッドと共に移動するように取り付けられ、前記インクヘッドから前記記録媒体に吐出された紫外線硬化インクに紫外線を照射する紫外線照射装置と、前記ガイドレールにスライド自在に係合する他のヘッドと、前記ガイドレールに沿って移動するキャリッジと、前記キャリッジと前記インクヘッドとを着脱自在に連結する第１の連結機構と、前記キャリッジと前記他のヘッドとを着脱自在に連結する第２の連結機構と、を備え、前記他のヘッドは、前記ガイドレールの一端側または他端側に位置するホームポジションにおいて前記キャリッジに着脱され、前記キャリッジと連結されていないときには前記ホームポジションにて待機し、前記他のヘッドの位置に関連する所定の条件に基づいて、前記紫外線照射装置の照射を禁止する照射禁止機構を備えているものである。
【発明の効果】
【００１１】
本発明によれば、紫外線硬化インクを吐出するインクヘッドと他のヘッドとを備え、それらヘッドが互いに独立してキャリッジに搬送されるインクジェット式記録装置において、動作の効率の向上を図ることが可能となる。
【図面の簡単な説明】
【００１２】
【図１】インクジェットプリンタの斜視図である。
【図２】インクジェットプリンタの内部構成を示す平面図である。
【図３】キャリッジおよびインクヘッドの平面図である。
【図４】キャリッジおよびインクヘッドの正面図である。
【図５】キャリッジおよびカッティングヘッドの平面図である。
【図６】キャリッジおよびカッティングヘッドの正面図である。
【図７】キャリッジの連結動作を説明するための正面図である。
【図８】（ａ）はキャリッジおよびインクヘッドの位置を検出する機構の概念図であり、（ｂ）はキャリッジおよびカッティングヘッドの位置を検出する機構の概念図である。
【図９】紫外線発光ダイオードの制御に係る制御装置のブロック図である。
【図１０】紫外線発光ダイオードと記録用紙との位置関係を示す平面図である。
【図１１】紫外線発光ダイオードと記録用紙上の紫外線硬化インクの着弾領域との位置関係を示す平面図である。
【図１２】キャリッジおよび他のインクヘッドの正面図である。
【発明を実施するための形態】
【００１３】
（インクジェットプリンタの構成）
図１に示す本実施形態に係るインクジェット式記録装置は、いわゆるカッティングヘッド付きインクジェットプリンタ１である。後述するように、インクジェットプリンタ１はインクヘッド４０（図２参照）とカッティングヘッド７０とを備え、記録用紙５に対する印刷と切り取り加工とを実行することができる。なお、図１に示す符号Ｙは主走査方向を示し、符号Ｘは、主走査方向Ｙと直交する方向である副走査方向を示す。
【００１４】
インクジェットプリンタ１は、主走査方向に延びるケーシング１０Ａを有する本体１０と、本体１０を支持する脚１１とを備えている。本体１０の右側には、操作パネル１２が設けられている。
【００１５】
図示は省略するが、操作パネル１２には、操作状態を表示する表示部、インクヘッド４０およびカッティングヘッド７０の位置を指定するカーソルキー、画像データの信号に基づいて印刷または切り抜きを開始すべき所定部位の領域を指定するための開始領域設定キー、設定された開始領域からの印刷または切り抜きを開始するための作動開始キー、等が設けられている。
【００１６】
本体１０の上側部分には、開閉自在なフロントカバー１５が取り付けられている。本体１０の下側には、記録用紙５を排出する排出口１３が形成されている。排出口１３の前方かつ下方の位置には、排出口１３から排出される記録用紙５を前方斜め下向きに案内するガイド１４が設けられている。
【００１７】
次に、本体１０の内部構成について説明する。図２に示すように、本体１０の内部には、主走査方向Ｙに延びるガイドレール２０が設けられている。なお、インクジェットプリンタ１を正面から見たときに、主走査方向Ｙは左右方向に対応し、副走査方向Ｘは前後方向に対応する。そこで以下では、主走査方向Ｙを左右方向、副走査方向Ｘを前後方向と適宜称することがある。ガイドレール２０の中央部の前方には、プラテン２５が配置されている。プラテン２５は、インクヘッド４０による印刷およびカッティングヘッド７０による記録用紙５の切断の際に、記録用紙５を支持する部分である。記録用紙５の印刷および切断は、プラテン２５上において行われる。
【００１８】
ガイドレール２０の右端部分の近傍にはプーリ２１が設けられ、ガイドレール２０の左端部分の近傍にはプーリ２２が設けられている。プーリ２１とプーリ２２とには、無端状のベルト２３が巻き掛けられている。なお、図４等において、符号２３ａはベルト２３の上側部分を表し、符号２３ｂはベルト２３の下側部分を表している。プーリ２１には、サーボモータ２４が連結されている。サーボモータ２４がプーリ２１を駆動すると、プーリ２１とプーリ２２との間でベルト２３が走行する。サーボモータ２４には、制御装置３５が通信可能に接続されている。サーボモータ２４は正逆回転自在なモータである。制御装置３５は、サーボモータ２４を制御することにより、後述するキャリッジ３０の移動を制御する。なお、本実施形態ではプーリ２１が駆動されるが、プーリ２２を駆動してもよいことは勿論である。
【００１９】
ベルト２３には、キャリッジ３０が取り付けられている。また、図示は省略するが、キャリッジ３０はガイドレール２０に係合している。そのため、キャリッジ３０は、ベルト２３の走行に従って、左右方向に移動する。図３に示すように、キャリッジ３０の右側には、右方に延びる連結部材３１が固定されている。本実施形態では、連結部材３１は、キャリッジ３０の前後方向の中央位置よりも後方に配置されている。連結部材３１の右端部には、磁石３２が取り付けられている。キャリッジ３０の左側には、磁石３３が取り付けられている。連結部材３１、磁石３２、および磁石３３は、キャリッジ３０と別体であってもよく、一体であってもよい。連結部材３１、磁石３２、および磁石３３は、キャリッジ３０と外観上明瞭に区別できないものであってもよい。なお、連結部材３１、磁石３２、および磁石３３は、キャリッジ３０と一体となって移動する。そのため、キャリッジ３０、連結部材３１、磁石３２、および磁石３３の全体を総称して「キャリッジ」と言うこともできる。ただし、本明細書では便宜上、キャリッジ３０を連結部材３１、磁石３２、および磁石３３と区別することとする。
【００２０】
図２に示すように、プラテン２５の左端部および右端部には、記録用紙５を副走査方向Ｘに送り出す上下一対のローラ２６（なお、図２では上側のローラ２６のみ図示されている）がそれぞれ配置されている。上下一対のローラ２６のうち、いずれか一方のローラ２６は自ら回転する駆動ローラであり、他方のローラ２６は、当該駆動ローラと共に記録用紙５を挟み込むためのピンチローラである。なお、駆動ローラの動作は制御装置３５によって制御される。これらローラ２６は、記録用紙５を副走査方向Ｘに搬送する搬送機構を構成している。なお、上下一対のローラ２６の設置位置は、プラテン２５の左端部および右端部に限定される訳ではない。
【００２１】
次に、インクヘッド４０について説明する。インクヘッド４０は、記録用紙５に向かってインクを吐出するヘッドである。インクヘッド４０は、インクを吐出するノズル（図示せず）を有する複数のプリントヘッド４１と、それらプリントヘッド４１を支持するプリントヘッドキャリッジ４２とを有している。プリントヘッドキャリッジ４２は、左右方向に移動自在なようにガイドレール２０に係合している。プリントヘッド４１は、上記ノズルからインク滴を下方に向かって吐出する。図示は省略するが、本体１０の後部には、インクが充填されたインクカートリッジが取り付けられている。プリントヘッド４１は、チューブ（図示せず）等を介して上記インクカートリッジに接続されている。プリントヘッド４１には、上記インクカートリッジからインクが供給される。なお、インクヘッド４０の吐出動作も制御装置３５によって制御される。
【００２２】
インクヘッド４０は、紫外線が照射されると硬化するインク、すなわち紫外線硬化インクを吐出する。インクジェットプリンタ１は、紫外線照射装置として、第１および第２の紫外線発光ダイオード５１，５２を備えている。第１の紫外線発光ダイオード５１は、連結部材４３を介してプリントヘッドキャリッジ４２の左側に取り付けられている。第２の紫外線発光ダイオード５２は、連結部材４４を介してプリントヘッドキャリッジ４２の右側に取り付けられている。第１の紫外線発光ダイオード５１と第２の紫外線発光ダイオード５２とは、互いに前後方向にずれた位置に配置されている。第１の紫外線発光ダイオード５１は第２の紫外線発光ダイオード５２よりも後方に配置されている。ただし、第１の紫外線発光ダイオード５１が第２の紫外線発光ダイオード５２よりも前方に配置されていてもよく、両紫外線発光ダイオード５１，５２の前後方向の位置が同じであってもよい。
【００２３】
図４に示すように、第１の紫外線発光ダイオード５１は、ケース５３と、ケース５３に内蔵された複数の発光素子５４と、発光素子５４に電気を供給するケーブル５５とを備えている。ケーブル５５は、ケーブルベア５６（図２参照）を介して図示しない電源に接続されている。第２の紫外線発光ダイオード５２の構成は、第１の紫外線発光ダイオード５１の構成と同様である。両紫外線発光ダイオード５１，５２の発光動作も制御装置３５によって制御される。
【００２４】
紫外線発光ダイオード５１，５２は、キャリッジ３０よりもプラテン２５に接近している。すなわち、キャリッジ３０の下端３０ｂは、紫外線発光ダイオード５１，５２の下端５１ｂ，５２ｂよりも上方に位置している。また、キャリッジ３０の下端３０ｂは、紫外線発光ダイオード５１，５２の発光素子５４の下端５４ｂよりも上方に位置している。また、キャリッジ３０の下端３０ｂは、インクヘッド４０の下端４０ｂよりも上方に位置している。
【００２５】
図３に示すように、プリントヘッドキャリッジ４２の後側かつ左側には、左方向に延びる連結部材４７が設けられている。なお、連結部材４７はプリントヘッドキャリッジ４２と一体であってもよく、別体であってもよい。連結部材４７の少なくとも左端部は、磁性体によって形成されている。そのため、磁石３２が連結部材４７に接触すると、連結部材４７は磁石３２によって吸着される。その結果、キャリッジ３０とインクヘッド４０とは、連結部材３１、磁石３２および連結部材４７を介して、互いに連結されることになる。一方、インクヘッド４０が固定された状態でベルト２３が走行し、キャリッジ３０に左向きの力が加えられると、磁石３２は連結部材４７から離反する。すなわち、インクヘッド４０が後述するホームポジションＨＰ（図２参照）において固定され、キャリッジ３０が左側に移動すると、キャリッジ３０とインクヘッド４０との連結が解除される。このように、連結部材３１、磁石３２および連結部材４７は、キャリッジ３０とインクヘッド４０とを着脱自在に連結する第１の連結機構６１を構成している。第１の連結機構６１は、キャリッジ３０とインクヘッド４０との間に架け渡されるように左右方向に延びている。
【００２６】
次に、カッティングヘッド７０について説明する。カッティングヘッド７０は、記録用紙５を切断するヘッドである。記録用紙５の切り抜き加工を行う際には、キャリッジ３０によってカッティングヘッド７０を主走査方向Ｙに移動させるとともに、ローラ２６によって記録用紙５を副走査方向Ｘに移動させる。これにより、カッティングヘッド７０を記録用紙５に対して二次元的に移動させることができ、記録用紙５の任意の箇所を切断したり、切り抜いたりすることができる。図６に示すように、カッティングヘッド７０は、カッター７２と、カッター７２を支持するケース７１とを備えている。ケース７１は、ガイドレール２０に係合している。そのため、カッティングヘッド７０は、ガイドレール２０によって主走査方向Ｙにガイドされる。
【００２７】
ケース７１における少なくとも磁石３３と対向する部分は、磁性体からなっている。そのため、キャリッジ３０に設けられた磁石３３がケース７１と接触すると、ケース７１は磁石３３によって吸着される。その結果、キャリッジ３０とカッティングヘッド７０とは、磁石３３を介して互いに連結されることになる。一方、カッティングヘッド７０が固定された状態でベルト２３が走行し、キャリッジ３０に右向きの力が加えられると、磁石３３はケース７１から離反する。すなわち、カッティングヘッド７０が後述するホームポジションＨＣ（図２参照）において固定され、キャリッジ３０が右側に移動すると、キャリッジ３０とカッティングヘッド７０との連結が解除される。このように、磁石３３は、キャリッジ３０とカッティングヘッド７０とを着脱自在に連結する第２の連結機構を構成している。
【００２８】
（インクジェットプリンタの動作）
次に、インクジェットプリンタ１の動作について説明する。前述したように、インクジェットプリンタ１は、インクヘッド４０による印刷と、カッティングヘッド７０による切り抜き加工とを実行することができる。
【００２９】
印刷時には、カッティングヘッド７０は、キャリッジ３０から切り離された状態でホームポジションＨＣ（図２参照）において待機する。なお、本実施形態では、本体１０内の左端部分がカッティングヘッド７０のホームポジションとなる。図７に模式的に示すように、カッティングヘッド７０には係止部材７５が設けられ、本体１０の左端部には、カッティングヘッド７０の係止部材７５と係脱可能な係止部材２８が設けられている。切り抜き加工の終了時には、カッティングヘッド７０はキャリッジ３０によってホームポジションＨＣに搬送される。そして、カッティングヘッド７０がホームポジションＨＣに到達すると、係止部材２８が非係止状態（図７にて仮想線で示す状態）から係止状態（図７にて実線で示す状態）となり、カッティングヘッド７０の係止部材７５と係合する。この状態でキャリッジ３０が右方に移動すると、キャリッジ３０の磁石３３の磁力に抗して、キャリッジ３０がカッティングヘッド７０から離反する。これにより、カッティングヘッド７０はホームポジションＨＣに残り、ホームポジションＨＣにおいて待機することになる。
【００３０】
印刷時には、インクヘッド４０はキャリッジ３０に連結される。キャリッジ３０とインクヘッド４０との連結は、インクヘッド４０のホームポジションＨＰにおいて行われる。本実施形態では、本体１０内の右端部分がインクヘッド４０のホームポジションＨＰとなる。
【００３１】
図示は省略するが、本体１０内の右端部分の下側には、キャップが配置されている。インクヘッド４０は、ホームポジションＨＰにおいて待機しているときに、上記キャップの上方に位置する。そして、少なくともインクヘッド４０のプリントヘッド４１は、上記キャップによって下方から覆われる。これにより、プリントヘッド４１におけるインクの乾燥が抑制される。
【００３２】
また、図２に示すように、プラテン２５と上記キャップとの間には、上向きに開口した容器１６と、ワイパー１７とが配置されている。容器１６は、プリントヘッド４１から吐出されるインクを受けるものである。プリントヘッド４１内のインクが空気に触れると、インクの粘度が増加する。しかし、インクの粘度が増加すると、インクヘッド４０の吐出性能が変化してしまうおそれがある。そこで、インクヘッド４０は、吐出性能の信頼性向上のために、容器１６に向かってインクを吐出する動作を適宜行う。容器１６は、そのような動作時にインクヘッド４０から吐出されるインクを回収するものである。ワイパー１７は、プリントヘッド４１のノズル面を清掃するものである。インクヘッド４０がワイパー１７の上方を通過すると、プリントヘッド４１がワイパー１７によって適度に擦られ、プリントヘッド４１に付着している不要なインク等が除去される。
【００３３】
上述の通り、本実施形態では、本体１０内の右端部分がインクヘッド４０のホームポジションＨＰとなっている。ただし、カッティングヘッド７０のホームポジションＨＣとインクヘッド４０のホームポジションＨＰとは、逆であってもよい。すなわち、カッティングヘッド７０のホームポジションＨＣが本体１０内の右端部分であり、インクヘッド４０のホームポジションＨＰが本体１０内の左端部分であってもよい。
【００３４】
インクヘッド４０がホームポジションＨＰに待機しているときにキャリッジ３０がガイドレール２０に沿って右方に移動していくと、やがてキャリッジ３０に設けられた磁石３２がインクヘッド４０の連結部材４７と接触し、磁石３２によってキャリッジ３０とインクヘッド４０とが連結される。図７に示すように、インクヘッド４０には係止部材４５が設けられ、本体１０の右端部には係止部材４５と係脱可能な係止部材２７が設けられている。なお、図７では、ベルト２３および紫外線発光ダイオード５１，５２の図示は省略している。印刷時には、係止部材２７が非係止状態（図７にて実線で示す状態）となり、インクヘッド４０の係止部材４５と本体１０の係止部材２７との係合が解除される。そのため、キャリッジ３０が主走査方向に移動すると、インクヘッド４０もキャリッジ３０と一体となって主走査方向に移動することになる。
【００３５】
インクヘッド４０は、主走査方向Ｙに往復移動しながら、記録用紙５に向かってインク滴を吐出する。記録用紙５は、インクヘッド４０の往復移動に伴い、ローラ２６によって副走査方向Ｘに搬送される。例えば、インクヘッド４０が主走査方向Ｙの一方から他方へ移動すると、記録用紙５が所定長さだけ前方へ搬送され、続いてインクヘッド４０が反転して他方から一方へ移動すると、記録用紙５が再び所定長さだけ前方へ搬送され、以下同様の動作が繰り返される。これにより、記録用紙５上に２次元の画像等が形成される。また、インクヘッド４０の主走査方向Ｙの移動に伴い、紫外線発光ダイオード５１，５２が適宜発光する。これにより、記録用紙５に吐出されたインク滴に紫外線が照射される。そして、記録用紙５上のインク滴は硬化し、記録用紙５に定着する。
【００３６】
切り抜き加工の時には、インクヘッド４０は、キャリッジ３０から切り離された状態でホームポジションＨＰにおいて待機する。印刷動作の終了時には、インクヘッド４０はキャリッジ３０によってホームポジションＨＰに搬送される。そして、インクヘッド４０がホームポジションＨＰに到達すると、係止部材２７が非係止状態（図７にて実線で示す状態）から係止状態（図７にて仮想線で示す状態）となり、インクヘッド４０の係止部材４５と係合する。この状態でキャリッジ３０が左方に移動すると、キャリッジ３０に設けられた磁石３２の磁力に抗して、キャリッジ３０がインクヘッド４０から離反する。これにより、インクヘッド４０はホームポジションＨＰに残り、ホームポジションＨＰにおいて待機することになる。
【００３７】
切り抜き加工の時には、カッティングヘッド７０はキャリッジ３０に連結される。キャリッジ３０とカッティングヘッド７０との連結は、カッティングヘッド７０のホームポジションＨＣにおいて行われる。カッティングヘッド７０がホームポジションＨＣに待機しているときにキャリッジ３０がガイドレール２０に沿って左方に移動していくと、やがてキャリッジ３０に設けられた磁石３３がカッティングヘッド７０と接触し、この磁石３３によってキャリッジ３０とカッティングヘッド７０とが連結される。切り抜き加工の際には、係止部材２８が非係止状態となり、カッティングヘッド７０の係止部材７５と本体１０の係止部材２８との係合が解除される。そのため、キャリッジ３０が主走査方向Ｙに移動すると、カッティングヘッド７０もキャリッジ３０と一体となって主走査方向Ｙに移動することになる。
【００３８】
カッティングヘッド７０が記録用紙５の所定の位置に移動すると、カッティングヘッド７０のカッター７２（図６参照）が下降し、記録用紙５を切り込む。そして、カッター７２が記録用紙５を切り込んだ状態のまま、カッティングヘッド７０が主走査方向Ｙに移動すると共に、ローラ２６によって記録用紙５が副走査方向Ｘに搬送される。これにより、記録用紙５が所定形状に切断される。
【００３９】
なお、インクヘッド４０またはカッティングヘッド７０に連結されたキャリッジ３０は、ガイドレール２０の左端側に位置する第１の反転位置Ｐ１（図２参照）と、ガイドレール２０の右端側に位置する第２の反転位置Ｐ２との間を往復するように制御される。ただし、図２に示す第１の反転位置Ｐ１および第２の反転位置Ｐ２は一例である。第１の反転位置Ｐ１および第２の反転位置Ｐ２は、図２に示す位置に限定される訳ではない。
【００４０】
前述したように、印刷の際に、第１の紫外線発光ダイオード５１および第２の紫外線発光ダイオード５２は、制御装置３５によって制御される。本実施形態では、制御装置３５は、キャリッジ３０とインクヘッド４０との連結状態、キャリッジ３０とカッティングヘッド７０との連結状態、インクヘッド４０の主走査方向の位置等に基づいて、紫外線発光ダイオード５１，５２を制御する。
【００４１】
制御装置３５による紫外線発光ダイオード５１，５２の制御にあたって、キャリッジ３０とインクヘッド４０との連結状態を検出することが必要となる。キャリッジ３０とインクヘッド４０との連結状態を検出する機構は特に限定されないが、本実施形態では、以下のような機構が用いられる。
【００４２】
図８（ａ）に模式的に示すように、サーボモータ２４にはロータリーエンコーダ８０が設けられ、インクヘッド４０にはリニアエンコーダ８１が設けられている。サーボモータ２４の回転位置とキャリッジ３０の主走査方向Ｙの位置との間には、一義的な対応関係がある。そのため、サーボモータ２４の回転位置が分かれば、キャリッジ３０の位置が一義的に特定される。本実施形態では、ロータリーエンコーダ８０により、キャリッジ３０の位置が検出される。一方、インクヘッド４０の主走査方向Ｙの位置は、リニアエンコーダ８１により検出される。このように、インクジェットプリンタ１は、キャリッジ３０の位置を検出する機構と、インクヘッド４０の位置を検出する機構とを備えている。
【００４３】
キャリッジ３０とインクヘッド４０とが連結されている場合、キャリッジ３０の移動に伴ってインクヘッド４０も移動する。そのため、キャリッジ３０の位置が変化し、かつインクヘッド４０の位置も変化する状態は、キャリッジ３０とインクヘッド４０とが連結されている状態である。一方、キャリッジ３０とインクヘッド４０とが連結されていない場合、キャリッジ３０が移動してもインクヘッド４０は移動しない。そのため、キャリッジ３０の位置が変化し、かつインクヘッド４０の位置が変化しない状態は、キャリッジ３０とインクヘッド４０とが連結されていない状態である。したがって、キャリッジ３０の位置の変化とインクヘッド４０の位置の変化とに基づいて、キャリッジ３０とインクヘッド４０との連結状態を検出することができる。
【００４４】
図９に示すように、制御装置３５は、キャリッジ３０とインクヘッド４０との連結状態を判定するインクヘッド連結判定部８３を備えている。インクヘッド連結判定部８３は、ロータリーエンコーダ８０の信号Ｓ０とリニアエンコーダ８１の信号Ｓ１とを受信する。信号Ｓ０はキャリッジ３０の位置を特定する信号であり、信号Ｓ１はインクヘッド４０の位置を特定する信号である。インクヘッド連結判定部８３は、それらの信号Ｓ０，Ｓ１に基づき、キャリッジ３０およびインクヘッド４０の位置の変化を検出し、それらの変化に基づいてキャリッジ３０とインクヘッド４０との連結状態を判定する。
【００４５】
このように本実施形態では、ロータリーエンコーダ８０とリニアエンコーダ８１とインクヘッド連結判定部８３とにより、キャリッジ３０とインクヘッド４０との連結状態を検出する機構が構成されている。本実施形態に係る連結状態の検出機構は、キャリッジ３０とインクヘッド４０との連結状態を間接的に検出するものである。ただし、キャリッジ３０とインクヘッド４０との連結状態を検出する機構は、上記機構に限定される訳ではない。例えば、キャリッジ３０とインクヘッド４０との連結状態を直接検出するセンサにより、連結状態の検出機構を構成することも可能である。
【００４６】
キャリッジ３０とカッティングヘッド７０との連結状態を検出する機構も、上記機構とほぼ同様である。図８（ｂ）に模式的に示すように、カッティングヘッド７０にもリニアエンコーダ８２が設けられている。カッティングヘッド７０の主走査方向Ｙの位置は、リニアエンコーダ８２により検出される。キャリッジ３０の位置が変化し、かつカッティングヘッド７０の位置が変化する状態は、キャリッジ３０とカッティングヘッド７０とが連結されている状態である。キャリッジ３０の位置が変化し、かつカッティングヘッド７０の位置が変化しない状態は、キャリッジ３０とカッティングヘッド７０とが連結されていない状態である。したがって、キャリッジ３０の位置の変化とカッティングヘッド７０の位置の変化とに基づいて、キャリッジ３０とカッティングヘッド７０との連結状態を検出することができる。
【００４７】
図９に示すように、制御装置３５は、キャリッジ３０とカッティングヘッド７０との連結状態を判定するカッティングヘッド連結判定部８４を備えている。カッティングヘッド連結判定部８４は、ロータリーエンコーダ８０の信号Ｓ０とリニアエンコーダ８２の信号Ｓ２とを受信する。信号Ｓ２はカッティングヘッド７０の位置を特定する信号である。カッティングヘッド連結判定部８４は、それらの信号Ｓ０，Ｓ２に基づき、キャリッジ３０およびカッティングヘッド７０の位置の変化を検出し、それらの変化に基づいてキャリッジ３０とカッティングヘッド７０との連結状態を判定する。
【００４８】
このように本実施形態では、ロータリーエンコーダ８０とリニアエンコーダ８２とカッティングヘッド連結判定部８４とにより、キャリッジ３０とカッティングヘッド７０との連結状態を検出する機構が構成されている。本実施形態に係る連結状態の検出機構は、キャリッジ３０とカッティングヘッド７０との連結状態を間接的に検出するものである。ただし、キャリッジ３０とカッティングヘッド７０との連結状態を検出する機構も、上記機構に限定される訳ではない。例えば、キャリッジ３０とカッティングヘッド７０との連結状態を直接検出するセンサにより、連結状態の検出機構を構成することも可能である。
【００４９】
図９に示すように、制御装置３５は、紫外線発光ダイオード５１，５２のＯＮ／ＯＦＦを制御する照射制御部８５を備えている。次に、照射制御部８５が行う紫外線発光ダイオード５１，５２の制御について説明する。
【００５０】
照射制御部８５は、インクヘッド連結判定部８３の判定結果を受け、その判定結果に基づいて紫外線発光ダイオード５１，５２のＯＮ／ＯＦＦを制御する。具体的には、照射制御部８５は、インクヘッド連結判定部８３によりキャリッジ３０がインクヘッド４０と連結していないと判定された場合には、紫外線発光ダイオード５１，５２の発光を禁止する制御を行う。この際、制御装置３５は、キャリッジ３０がインクヘッド４０と連結していないときに紫外線の照射を禁止する照射禁止機構として機能する。これにより、紫外線発光ダイオード５１，５２は、インクヘッド４０がキャリッジ３０に連結されていないときには、発光しないことになる。
【００５１】
また、照射制御部８５は、カッティングヘッド連結判定部８４の判定結果を受け、その判定結果に基づいて紫外線発光ダイオード５１，５２のＯＮ／ＯＦＦを制御する。具体的には、照射制御部８５は、カッティングヘッド連結判定部８４によりキャリッジ３０がカッティングヘッド７０と連結されていると判定された場合には、紫外線発光ダイオード５１，５２の発光を禁止する制御を行う。これにより、紫外線発光ダイオード５１，５２は、カッティングヘッド７０がキャリッジ３０に連結されているときには、発光しないことになる。
【００５２】
なお、カッティングヘッド７０がキャリッジ３０に搬送されていないときには、カッティングヘッド７０はホームポジションＨＣに位置し、カッティングヘッド７０がキャリッジ３０に搬送されているときには、カッティングヘッド７０はホームポジションＨＣに位置していない。そのため、カッティングヘッド連結判定部８４は、カッティングヘッド７０がホームポジションＨＣに位置しているか否かを判定する部分でもある。したがって、カッティングヘッド連結判定部８４の判定結果に基づいて紫外線発光ダイオード５１，５２をＯＮ／ＯＦＦする上記制御は、カッティングヘッド７０がホームポジションＨＣに位置しているか否かに基づいて紫外線発光ダイオード５１，５２をＯＮ／ＯＦＦする制御でもある。すなわち、照射制御部８５は、カッティングヘッド７０がホームポジションＨＣにないときには紫外線発光ダイオード５１，５２の発光を禁止する制御を行っている。この際、制御装置３５は、カッティングヘッド７０がホームポジションＨＣにないときには紫外線の照射を禁止する照射禁止機構として機能する。
【００５３】
なお、インクジェットプリンタ１において、紫外線照射装置として、紫外線発光ダイオード５１，５２の代わりに、ＯＮ／ＯＦＦに比較的時間のかかる装置、例えばハロゲンランプ等を用いることもできる。インクヘッド４０またはカッティングヘッド７０に対するキャリッジ３０の着脱、または、キャリッジ３０がインクヘッド４０またはカッティングヘッド７０に連結されてから移動を開始するまでの間には、ある程度の時間が必要となる。そのため、上記制御は、紫外線照射装置としてハロゲンランプ等を用いる場合にも適用することができる。上記制御の対象となる紫外線照射装置は、紫外線発光ダイオード５１，５２に限定される訳ではない。
【００５４】
一方、紫外線発光ダイオード５１，５２は、ハロゲンランプ等に比べて、ＯＮ／ＯＦＦに要する時間が短いという特性を有している。すなわち、紫外線発光ダイオード５１，５２では、ＯＮ／ＯＦＦを瞬時に切り替えることが可能である。そこで、紫外線発光ダイオード５１，５２の上記特性を利用して、以下のような制御を実行してもよい。
【００５５】
前述したように、本実施形態のインクジェットプリンタ１によれば、インクヘッド４０の位置を検出することができる。なお、インクヘッド４０の位置はリニアエンコーダ８１によって直接検出されるが、ロータリーエンコーダ８０によってキャリッジ３０の位置を検出し、そのキャリッジ３０の位置に基づいてインクヘッド４０の位置を間接的に検出することも可能である。ただし、以下では、インクヘッド４０の位置はリニアエンコーダ８１によって検出されるものとする。
【００５６】
第１の紫外線発光ダイオード５１は連結部材４３を介してインクヘッド４０に接続され、第２の紫外線発光ダイオード５２は連結部材４４を介してインクヘッド４０に接続されている。紫外線発光ダイオード５１，５２のインクヘッド４０に対する位置は、それぞれ一定である。そのため、インクヘッド４０の位置に基づいて紫外線発光ダイオード５１，５２の位置を検出することができる。本実施形態では、リニアエンコーダ８１によって検出されたインクヘッド４０の位置に基づいて、紫外線発光ダイオード５１，５２の位置をそれぞれ検出する。
【００５７】
プラテン２５上に載置される記録用紙５の主走査方向Ｙにおける位置は、記録用紙５のサイズによって予め定まっている。記録用紙５のサイズが異なると、主走査方向Ｙにおけるプラテン２５に対する記録用紙５の位置が異なることになる。なお、記録用紙５のサイズは、例えばユーザが操作パネル１２（図１参照）を使って記録用紙５のサイズを入力すること等により、容易に認識することができる。また、記録用紙５のサイズを検出するセンサ等を別途設けてもよい。ここでは、制御装置３５のうち、記録用紙５のサイズを検出する部分を用紙サイズ検出部８６（図９参照）とする。
【００５８】
照射制御部８５は、用紙サイズ検出部８６から記録用紙５のサイズに関する情報を受ける。また、照射制御部８５は、リニアエンコーダ８１からの信号に基づいて、紫外線発光ダイオード５１，５２の位置を検出する。そして、照射制御部８５は、紫外線発光ダイオード５１，５２の記録用紙５に対するそれぞれの位置を算出し、紫外線発光ダイオード５１が記録用紙５の上方に位置していないときには、当該紫外線発光ダイオード５１の発光を禁止し、紫外線発光ダイオード５２が記録用紙５の上方に位置していないときには、当該紫外線発光ダイオード５２の発光を禁止する。すなわち、照射制御部８５は、紫外線発光ダイオード５１，５２が記録用紙５と対向する位置にないときには、紫外線発光ダイオード５１，５２をそれぞれ発光させないような制御を行う。この際、制御装置３５は、紫外線発光ダイオード５１，５２が記録用紙５と対向する位置にないときにはそれらの発光を禁止する発光禁止機構として機能する。
【００５９】
上記制御により、例えば図１０に示すように、紫外線発光ダイオード５１が記録用紙５の上方から外れた位置（図１０の仮想線で示す位置）から上方の位置（図１０の実線で示す位置）に至る間に、紫外線発光ダイオード５１はＯＦＦ状態からＯＮ状態に瞬時に切り替えられる。逆に、紫外線発光ダイオード５１が記録用紙５の上方の位置から外れると、ＯＮ状態からＯＦＦ状態に瞬時に切り替えられる。
【００６０】
また、本実施形態に係るインクジェットプリンタ１では、以下のような制御も可能である。印刷対象の画像によっては、記録用紙５の所定領域に紫外線硬化インクを着弾させない場合がある。言い換えると、図１１に示すように、記録用紙５の所定領域Ｅ１，Ｅ３には紫外線硬化インクを着弾させるが、他の所定領域Ｅ２には紫外線硬化インクを着弾させない場合がある。そこで、照射制御部８５は、紫外線発光ダイオード５１，５２の位置が記録用紙５の上方の位置であったとしても、紫外線硬化インクが着弾していない領域Ｅ２の上方の位置であれば、紫外線発光ダイオード５１，５２の発光を禁止するようにしてもよい。
【００６１】
制御装置３５は、インクジェットプリンタ１の外部から入力される印刷データに基づいて印刷を行う。この印刷データには、紫外線硬化インクを着弾させる領域および着弾させない領域に関するデーも含まれている。照射制御部８５は、印刷データを記憶した印刷データ記憶部８７（図９参照）から印刷データを受け取り、紫外線硬化インクが着弾されていない領域の上方に紫外線発光ダイオード５１，５２が位置するときには、紫外線発光ダイオード５１，５２の発光をそれぞれ禁止する。言い換えると、照射制御部８５は、紫外線発光ダイオード５１，５２が記録用紙５上の紫外線硬化インクと対向する位置にないときには、紫外線発光ダイオード５１，５２をそれぞれ発光させないような制御を行う。この際、制御装置３５は、紫外線発光ダイオード５１，５２が記録用紙５上の紫外線硬化インクと対向する位置にないときにはそれらの発光を禁止する発光禁止機構として機能する。
【００６２】
上記制御により、例えば図１１に示すように、紫外線発光ダイオード５１が紫外線硬化インクの着弾領域Ｅ１の上方位置から非着弾領域Ｅ２の上方位置に至ると、紫外線発光ダイオード５１はＯＦＦ状態からＯＮ状態に瞬時に切り替えられ、非着弾領域Ｅ２から着弾領域Ｅ３に至ると、ＯＮ状態からＯＦＦ状態に瞬時に切り替えられる。
【００６３】
（実施形態の効果）
以上のように、本実施形態に係るインクジェットプリンタ１によれば、キャリッジ３０は、印刷時にはインクヘッド４０のみを搬送し、切断時にはカッティングヘッド７０のみを搬送する。そのため、キャリッジ３０の負荷を低減することができる。
【００６４】
また、本実施形態によれば、制御装置３５は、キャリッジ３０がインクヘッド４０と連結しているか否かを検出し、キャリッジ３０がインクヘッド４０と連結していないときには、紫外線発光ダイオード５１，５２の発光を禁止する。また、制御装置３５は、カッティングヘッド７０がホームポジションＨＣにあるか否かを検出し、カッティングヘッド７０がホームポジションＨＣにないときには紫外線発光ダイオード５１，５２の発光を禁止する。そのため、不要な紫外線照射を防止することができる。したがって、動作効率の向上を図ることができる。また、不必要な部分に余分な紫外線を照射することがなくなるので、不必要な部分を硬化させることを防止することができる。
【００６５】
なお、紫外線発光ダイオード５１，５２の発光を禁止するタイミング（以下、発光禁止タイミングという）は、必ずしも本実施形態と同様でなくてもよい。発光禁止タイミングは、キャリッジ３０がインクヘッド４０から離れた瞬間でもよいが、その瞬間から所定時間だけ前または後であってもよい。例えば、キャリッジ３０がインクヘッド４０から離れてから僅かな時間（例えば１秒）が経過してから、紫外線発光ダイオード５１，５２の発光を禁止するようにしてもよい。また、キャリッジ３０がインクヘッド４０から離れる予定の時間（なお、この時間はインクジェットプリンタ１の制御プログラム等から予め予想することができる）より僅かな時間（例えば１秒）前から、紫外線発光ダイオード５１，５２の発光の禁止を開始してもよい。キャリッジ３０およびインクヘッド４０の連結のタイミングと発光禁止タイミングとは、必ずしも厳密に連動していなくてもよい。前記実施形態に限らず、制御装置３５は、第１の連結機構６１によるキャリッジ３０とインクヘッド４０との連結状態に関連する所定の条件に基づいて、紫外線発光ダイオード５１，５２の発光を禁止することができる。
【００６６】
また、発光禁止タイミングは、カッティングヘッド７０がホームポジションＨＣに位置した瞬間でもよいが、その瞬間から所定時間だけ前または後であってもよい。例えば、カッティングヘッド７０がホームポジションＨＣに位置してから僅かな時間（例えば１秒）が経過してから、紫外線発光ダイオード５１，５２の発光を禁止するようにしてもよい。また、カッティングヘッド７０がホームポジションＨＣに位置する予定の時間（なお、この時間はインクジェットプリンタ１の制御プログラム等から予め予想することができる）より僅かな時間（例えば１秒）前から、紫外線発光ダイオード５１，５２の発光の禁止を開始してもよい。カッティングヘッド７０がホームポジションＨＣに位置するタイミングと発光禁止タイミングとは、必ずしも厳密に連動していなくてもよい。前記実施形態に限らず、制御装置３５は、カッティングヘッド７０の位置に関連する所定の条件に基づいて、紫外線発光ダイオード５１，５２の発光を禁止することができる。
【００６７】
また、制御装置３５は、紫外線発光ダイオード５１，５２の記録用紙５に対する位置を検出し、紫外線発光ダイオード５１，５２が記録用紙５と対向する位置にないときには、紫外線発光ダイオード５１，５２の発光を禁止することができる。したがって、不要な照射をさらに防止することができる。
【００６８】
さらに、制御装置３５は、記録用紙５上の紫外線硬化インクに対する紫外線発光ダイオード５１，５２の位置を検出し、紫外線発光ダイオード５１，５２が記録用紙５上の紫外線硬化インクと対向する位置にないときには、紫外線発光ダイオード５１，５２の発光を禁止することができる。したがって、不要な照射をより一層防止することができる。
【００６９】
＜その他の実施形態＞
前記実施形態では、インクジェットプリンタ１に設けられた複数のヘッドのうち、紫外線硬化インクを吐出するインクヘッド４０以外のヘッドは、カッティングヘッド７０であった。しかし、紫外線硬化インクを吐出するインクヘッド４０以外の他のヘッドは、カッティングヘッド７０に限られない。例えば図１２に示すように、他のヘッドは、紫外線硬化インクと異なるインクを吐出するインクヘッド４８であってもよい。これにより、紫外線硬化インクおよび他のインクによる印刷が可能なインクジェットプリンタにおいて、前述の効果を得ることができる。
【００７０】
前記実施形態では、インクヘッド４０に対して２つの紫外線発光ダイオード５１，５２が取り付けられていた。しかし、インクヘッド４０と共に主走査方向Ｙに移動する紫外線照射装置の個数は、１つであってもよい。
【００７１】
＜用語の意味＞
本明細書において、「記録媒体」とは、その表面または内部にインクが付着することにより、文字や画像等が形成されるものであればよく、その材料は特に限定されない。記録媒体の材料として、例えば、紙、樹脂、アルミ、鉄、木材等を用いることができる。また、記録媒体の形状も何ら限定されない。記録媒体には、紙、ビニールシート、樹脂製シート等のシート状の媒体が含まれる。また、記録媒体には、ガラス板等のサブストレイトも含まれる。
【００７２】
ヘッドの「ホームポジション」は、必ずしも一定の位置でなくてもよく、一定領域の任意の位置であってもよい。「ホームポジション」は、一定の位置と、一定の位置領域とを含む意味である。例えば、ヘッドがキャリッジから取り外される位置と、ヘッドが待機している位置と、ヘッドがキャリッジに連結される位置とは、一定領域の位置であればよく、それらが互いに一致していなくてもよい。
【符号の説明】
【００７３】
１      インクジェットプリンタ（インクジェット式記録装置）
５      記録用紙（記録媒体）
２０    ガイドレール
２５    プラテン
３０    キャリッジ
３３    磁石（第２の連結機構）
３５    制御装置（照射禁止機構、発光禁止機構）
４０    インクヘッド
４８    他のインクヘッド（他のヘッド）
５１    第１の紫外線発光ダイオード（紫外線照射装置）
５２    第２の紫外線発光ダイオード（紫外線照射装置）
６１    第１の連結機構
７０    カッティングヘッド（他のヘッド）
７２    カッター
ＨＣ    カッティングヘッドのホームポジション
【図１】
2010214769.tif 000003
【図２】
2010214769.tif 000004
【図３】
2010214769.tif 000005
【図４】
2010214769.tif 000006
【図５】
2010214769.tif 000007
【図６】
2010214769.tif 000008
【図７】
2010214769.tif 000009
【図８】
2010214769.tif 000010
【図９】
2010214769.tif 000011
【図１０】
2010214769.tif 000012
【図１１】
2010214769.tif 000013
【図１２】
2010214769.tif 000014